(57)【要約】【課題】プライスチップの支持機能とカードの保持機能を持たせ、価格表示と商品案内を簡単かつ低コストにしかも見栄え良く展示することができるプライスチップ用台座を提供する。【解決手段】本考案に係るプライスチップ用台座１は、プライスチップ１０を支持する台座本体２を備え、この台座本体２には、プライスチップ１０の価格表示面１０ａを除く残りの側面の外形に嵌合する凹部３が形成され、凹部３の後方にカード２０を差し込む溝４が形成されている。【選択図】図４
0003174737.tif 000002
【実用新案登録請求の範囲】
【請求項１】
柱体の一つの側面に価格が表示されたプライスチップを支持する台座本体を備え、この台座本体には、前記プライスチップの価格表示面を除く残りの側面の外形に嵌合する凹部が設けられ、前記凹部の後方にカードを差し込む溝が設けられていることを特徴とするプライスチップ用台座。
【請求項２】
前記凹部の開口面と前記台座本体の底面とのなす角度が鋭角に設定されていることを特徴とする請求項１に記載のプライスチップ用台座。
【請求項３】
前記溝の切り込み方向と前記台座本体の底面とのなす角度が鋭角に設定されていることを特徴とする請求項１又は２に記載のプライスチップ用台座。
【考案の詳細な説明】
【技術分野】
【０００１】
本考案は、商品の価格が表示されたプライスチップを設置する際に使用されるプライスチップ用台座に関する。
【背景技術】
【０００２】
店舗の商品売場において、ブランド品や高級品の価格を表示する手段として、プライスチップ、プライスブロック、プライスキューブ等（以下「プライスチップ」と総称する）と呼ばれる展示具が利用されている。このプライスチップは、数字や記号が表示された複数個のチップから構成されており、個々のチップを横一列に連結していくことにより、数字や記号を組み合わせて自由に価格を表示できるようにしたものである（例えば、下記の非特許文献１を参照）。
【０００３】
従来、このプライスチップを利用して価格表示を行う場合には、前記のようにして組み立てたプライスチップを陳列台や陳列棚の上に直接置いて設置していた。また、店舗では価格表示の他に商品案内等を展示する場合もあるが、この場合、商品案内を印刷したカードをＰＯＰスタンドのクリップに挟んでプライスチップとは別に設置していた。このため、一つの商品に対してプライスチップとＰＯＰスタンドの二つの展示具を用意して設置しなければならず、手間とコストが掛かる上に、商品によってはそのブランドイメージや高級感を損なう恐れもあった。
【０００４】
また、最近では、プライスチップを設置するための台座が市販されている（例えば、下記の非特許文献２、３を参照）。しかし、この台座はプライスチップとセットで販売されており、既にプライスチップが手元にある店舗にとっては、この台座を手に入れるためにプライスチップとのセットを購入しなければならないため、余計なコストが掛かってしまう。また、この台座を入手しても、商品案内を展示するためには、前記と同様にＰＯＰスタンド等の別の展示具が必要になることには変わりがない。
【先行技術文献】
【特許文献】
【０００５】
【非特許文献１】http://item.rakuten.co.jp/meicho2/exp-6264-320/
【非特許文献２】http://www.nigiwai-dougu.com/new_products98xxx/98059/98059.html
【非特許文献３】http://webcache.googleusercontent.com/search?q=cache:L_9kFZcHpv4J:item.rakuten.co.jp/prodeco/sss90400/+%E3%83%97%E3%83%A9%E3%82%A4%E3%82%B9%E3%83%81%E3%83%83%E3%83%97%E3%80%80%E5%8F%B0%E5%BA%A7&cd=1&hl=ja&ct=clnk&gl=jp
【考案の概要】
【考案が解決しようとする課題】
【０００６】
本考案はこのような問題を解決するためになされたものであり、その目的とするところは、プライスチップを設置する際に使用される台座において、プライスチップを支持する機能に加えてカードを保持する機能を持たせることにより、価格表示と商品案内を簡単かつ低コストに展示することが可能なプライスチップ用台座を提供することにある。
【課題を解決するための手段】
【０００７】
前記の目的を達成するための手段として、本考案に係るプライスチップ用台座は、柱体の一つの側面に価格が表示されたプライスチップを支持する台座本体を備え、この台座本体には、前記プライスチップの価格表示面を除く残りの側面の外形に嵌合する凹部が設けられ、前記凹部の後方にカードを差し込む溝が設けられていることを特徴とする。
【０００８】
本考案に係るプライスチップ用台座において、前記凹部の開口面と前記台座本体の底面とのなす角度は鋭角に設定されていると良い。また、前記溝の切り込み方向と前記台座本体の底面とのなす角度も鋭角に設定されていると良い。
【考案の効果】
【０００９】
本考案に係るプライスチップ用台座によれば、台座本体に設けられた凹部にプライスチップを嵌め込んで支持し、その後方に設けられた溝にカードを差し込んで保持することにより、価格表示と商品案内を、簡単かつ低コストに、しかもコンパクトで見栄え良く展示することができるという効果がある。
【図面の簡単な説明】
【００１０】
【図１】本考案に係るプライスチップ用台座の外観図である。
【図２】本考案に係るプライスチップ用台座に載置されるプライスチップの分解図である。
【図３】本考案に係るプライスチップ用台座の側面図である。
【図４】本考案に係るプライスチップ用台座の使用状態を示す説明図である。
【図５】本考案に係るプライスチップ用台座の凹部の変形例を示す側面図である。
【考案を実施するための形態】
【００１１】
以下、本考案を実施するための形態について、図面を参照しながら説明する。
【００１２】
図１に示すように、本実施形態のプライスチップ用台座１は、百貨店等の店舗の商品売場において、商品の価格が表示されたプライスチップを商品の陳列台や陳列棚に設置するために使用されるものである。このプライスチップ用台座１は、プライスチップを支持する台座本体２を備え、この台座本体２にはプライスチップを嵌め込む凹部３と、カードを差し込む溝４が設けられている。
【００１３】
台座本体２は、店舗の内装や商品のイメージに合わせて、例えば金属、合成樹脂、ガラス、木材等の各種材料により構成される。本実施形態では、ステンレス鋼の表面にヘアライン加工によるつや消しが施されている。これにより、金属特有のマットな質感を与えることができ、ブランド品や高級品のブランドイメージや高級感を演出するのに適したものとなっている。
【００１４】
図２に示すように、プライスチップ１０は、組み立てた全体の形状が柱体（本実施形態では五角柱）からなり、その柱体の一つの側面１０ａに価格が表示されたものである。このプライスチップ１０は、複数個の合成樹脂製のチップ１１，１１，…から構成されており、個々のチップ１１には「０」から「９」までのいずれかの数字か、あるいは「￥」や「，」や「−」等の記号が一文字ずつ表示され、一方の側面には凸部１２が、他方の側面にはこれに嵌合する凹部１３が設けられている。そして、図のように凸部１２を凹部１３に嵌め込んで横一列に連結していくことにより、数字や記号を組み合わせて自由に価格を表示できるようになっている。
【００１５】
図３に示すように、台座本体２には、プライスチップ１０を嵌め込む凹部３が形成されている。この凹部３は、本実施形態では五角柱型に成形されたプライスチップ１０において、価格が表示された側面１０ａを除く残り四つの側面がすべて支持されるように、その四つの側面の外形に嵌合する断面形状に成形されている。また、凹部３の開口面と台座本体２の底面２ａとのなす角度αが鋭角（本実施形態では４５度）に設定されており、凹部３に嵌め込んだプライスチップ１０が設置面に対して傾斜した状態で支持されるようになっている。
【００１６】
さらに、台座本体２には、カードを差し込む溝４が形成されている。この溝４は、凹部３の後方の肉厚部分に切り込み成形されており、その幅や深さは支持するカードの厚みや大きさに合わせて適宜設定される。また、溝４の切り込み方向と台座本体２の底面２ａとのなす角度βが鋭角（本実施形態では６０度）に設定されており、溝４に差し込んだカードが設置面に対して傾斜した状態で保持されるようになっている。
【００１７】
本実施形態のプライスチップ用台座１は以上のように構成されており、使用時には図４に示すように、価格が表示されたプライスチップ１０を凹部３の端面から挿入して嵌め込み固定する。また、必要に応じて、商品案内が表示されたカード２０を溝４に差し込んだ後、これを商品の陳列台や陳列棚の上に設置すれば良い。このとき、凹部３に嵌め込んだプライスチップ１０が設置面に対して傾斜した状態で支持されるため、プライスチップ１０に表示された価格を見やすい角度で展示することができる。
【００１８】
また、溝４に差し込んだカード２０は、図４のようにプライスチップ１０の後方に配置されるため、価格表示面１０ａの邪魔になることはない。さらに、カード２０が直立姿勢ではなく少し後ろに倒れた姿勢で保持されることにより、カード２０に表示された商品案内を読みやすい角度で展示することができる。しかも、１つの台座本体２によってプライスチップ１０とカード２０が一体としてコンパクトに収まり、両者を見栄え良く展示することができる。
【００１９】
以上説明した実施形態において、プライスチップ用台座１は、五角柱型のプライスチップ１０に合わせた断面形状の凹部３を備えるものとしたが、凹部３の断面形状はこれに限られない。
【００２０】
凹部３は、例えば、図５（ａ）に示すようにプライスチップ１０が四角柱型であれば価格表示面１０ａを除く残り三つの側面の外形に嵌合する断面形状とし、図５（ｂ）に示すようにプライスチップ１０が三角柱型であれば価格表示面１０ａを除く残り二つの側面の外形に嵌合する断面形状とすれば良い。また、プライスチップ１０は柱体であれば角柱型に限らず円柱型や半円柱型であっても良く、凹部３の形状はそれに合わせて変更する。さらに、カード２０を差し込む溝４の形状についても、直線状に限らず湾曲状等に成形しても良く、用途に応じて適宜変更が可能である。
【符号の説明】
【００２１】
１…プライスチップ用台座
２…台座本体
３…凹部
４…溝
１０…プライスチップ
１１…チップ
１２…凸部
１３…凹部
２０…カード
【図１】
0003174737.tif 000003
【図２】
0003174737.tif 000004
【図３】
0003174737.tif 000005
【図４】
0003174737.tif 000006
【図５】
0003174737.tif 000007